(57)【要約】【課題】  低コストで携帯機器が落下することのない強度を備えたストラップを提供する。【解決手段】  ストラップ２は、第一，第二ループ紐４，５と、ストラップ本体７と、二つのカバー部材８，９とを備えている。このストラップ２は、ストラップ本体７のそれぞれの端部にループを形成するように第一，第二ループ紐４，５が結束し、この結束部１１をカバー部材８，９が覆っている。カバー部材９に第二ループ紐５のループの先端が係止可能なループ止め部１２を形成する。【選択図】        図１
2005253767.tif 000002
【特許請求の範囲】
【請求項１】
携帯機器に設けられた一対の貫通穴にストラップ本体の両端をそれぞれ連結して用いられるストラップにおいて、
前記ストラップ本体の一端に第一ループを形成し、貫通穴の一方に挿通したあとの第一ループの中にストラップ本体を他端側から挿通することによってストラップ本体の前記一端を携帯機器に連結する第一ループ紐と、
ストラップ本体の他端に第二ループを形成し、貫通穴に他方に挿通される第二ループ紐と、
ストラップ本体の他端と第二ループ紐との連結部に設けられ、貫通穴の他方に挿通した後の第二ループの先端を係止してストラップ本体の他端を携帯機器に連結するループ止め部とを備えたことを特徴とするストラップ。
【請求項２】
前記第一及び第二ループ紐は、ストラップ本体のそれぞれの端部に両端を結束した一対のループ紐によって形成され、ストラップ本体の各端部とループ紐との結束部をそれぞれカバー部材で覆うとともに、第二ループ部側のカバー部材に前記ループ止め部を一体に形成したことを特徴とする請求項１記載のストラップ。
【発明の詳細な説明】
【技術分野】
【０００１】
本発明は、カメラなどの携帯機器に取り付けて使用されるストラップに関するものである。
【背景技術】
【０００２】
携帯電話機やデジタルカメラなどの携帯機器には、不使用時の携帯性を向上させる目的でストラップが取り付けられている。このような携帯用ストラップには、首から吊り下げて使用するネックストラップや手首にかけて使用するリストストラップがあり、いずれもストラップ自体に十分な強度をもたせるとともに、ストラップが携帯機器から不用意に外れることがないように携帯機器との連結部には様々な工夫が施されている。
【０００３】
ストラップの中には、携帯機器と連結させるための連結具を一つ備えているものがある（例えば、特許文献１及び特許文献２参照）。このようなストラップは、一つの連結具によって携帯機器に取り付けられているため、ストラップを首から吊り下げたときや手首にかけて持ち運ぶときにストラップがねじれて携帯機器が回転しやすい。また、ストラップと携帯機器とを複数の連結具で取り付ける場合よりも強度の高い連結具を要する。
【０００４】
ストラップ本体の両端を携帯機器に連結するために専用の金具や独特の構造をもった連結具をストラップ本体の両端に設けておき、この連結具を介してストラップ本体を携帯機器に連結する手法もあるが、連結具の形状や機能に対応して携帯機器側のストラップ取り付け部分の構造も複雑化し、コストがかかる。また、携帯機器を取り付けるストラップに十分な強度をもたせるために連結具の強度アップを図ると、連結具が大型化して携帯時に邪魔になっていた（例えば，特許文献３参照）。
【０００５】
以上から、携帯機器に用いるストラップは、携帯機器をストラップの両端で取り付けるのが好ましい。また、コストやスペースなどから考えて、専用の金具や独特な構造をもつ連結具を用いない方がよい。このため、ストラップ本体の両端にループを形成したループ紐を連結具としているストラップを携帯機器に用いているものがある。このようなストラップが取り付けられる携帯機器側のストラップ取り付け部分は、携帯機器にループ紐が挿通可能な貫通穴を形成することで構成することができる。
【０００６】
図６に示すように、ストラップ２５は携帯機器２３に両端が連結するストラップ本体３２と、ストラップ本体３２を二分した間に設けられる連結キャップ３６と、ストラップ本体３２の端部それぞれに両端が結束することで第一，第二ループ２９ａ，３０ａを形成する第一，第二ループ紐２９，３０と、ストラップ本体３２と第一，第二ループ紐２９，３０とが結束した結束部を覆う二つのカバー部材３３，３４とから構成されている。連結キャップ３６は着脱自在で、連結部材３６ａと連結部材３６ｂとに二分することができる。このようなストラップ２５が取り付けられる携帯機器２３には第一，第二ループ紐２９，３０が挿通可能な貫通穴２１，２２が形成されている。
【０００７】
ストラップ２５を携帯機器２３に用いるときには、ストラップ２５を連結キャップ３６から二分して、貫通穴２１に第一ループ紐２９を挿通し、貫通穴２１に挿通した第一ループ紐２９の第一ループ２９ａの中に連結部材３６ａ及びストラップ本体３２を挿通し、次に貫通穴２２に第二ループ紐３０を挿通し、貫通穴２２に挿通した第二ループ紐３０の第二ループ３０ａの中に、連結部材３６ｂ及びストラップ本体３２を挿通したあと、連結部材３６ａと連結部材３６ｂとを連結していた。
【０００８】
【特許文献１】特開２００３−００９９３２号公報
【特許文献２】特開２００２−２９１５１５号公報
【特許文献３】特開２００２−３３０８１４号公報
【発明の開示】
【発明が解決しようとする課題】
【０００９】
ところが、上記記載の連結キャップを備えたストラップを携帯機器に用いて、首から吊り下げたり、手首にかけて持ち運ぶときに、携帯機器に対してストラップの強度が不十分だと、携帯機器の重量によって連結キャップが二分され、ストラップを用いた携帯機器が落下し、携帯機器を破損させることがあった。また、連結キャップがストラップを二分するためだけに用いられているため、製造コストが割高になっていた。
【００１０】
本発明は、低コストで携帯機器が落下することのない強度を備えたストラップを提供することを目的とする。
【課題を解決するための手段】
【００１１】
本発明のストラップは、携帯機器に両端が連結されるストラップ本体と、このストラップ本体の各端部にループを形成する第一，第二ループ紐と、ストラップ本体の一端と第二ループ紐とが連結する連結部に第二ループ紐の第二ループが係止可能なループ止めとを備えたことを特徴とする。
【発明の効果】
【００１２】
本発明では、携帯機器に形成した一対の貫通穴の一方に、第一ループ紐を挿通してストラップ本体の一端を携帯機器に連結させ、その後、他方の貫通穴に挿通された第二ループ紐の第二ループが係止可能なループ止めを第二ループ紐とストラップ本体の一端を連結する連結部とを備えることで、携帯機器が落下することのない強度を備えたストラップを低コストで提供することができる。
【発明を実施するための最良の形態】
【００１３】
図１に示すように、本発明のストラップ２は、携帯機器１５に取り付けられる第一ループ紐４及び第二ループ紐５と、この第一ループ紐４及び第二ループ紐５とを介して携帯機器１５と連結されるストラップ本体７と、カバー部材９，１０とから構成されている。
図２に示すように、第一ループ紐及び第二ループ紐５の両端は、ストラップ本体７のそれぞれの端部に、細紐６で仮止めされた後、接着されて結束している。この結束によって、第一ループ４ａ及び第二ループ５ａが形成されている。
【００１４】
カバー部材８，９は、主部材８ａ，９ａと副部材８ｂ，９ｂとから構成されている。カバー部材８，９の内部には中空部８ｃ，９ｃが形成されおり、この中空部８ｃ，９ｃ内に、ストラップ本体７と第一、第二ループ紐４，５とが結束した結束部１１を嵌め込むことが可能である。カバー部材８，９内には、中空部８ｃ，９ｃだけでなく、結束部１１近傍のストラップ本体７が通るストラップ本体通路８ｄ，９ｄと、結束部１１近傍の第一，第二ループ紐４，５が通るループ紐通路８ｅ，９ｅとが形成されている。
【００１５】
結束部１１を主部材８ａ，９ａ側の中空部８ｃ，９ｃに嵌め込み、結束部１１近傍のストラップ本体７をストラップ本体通路８ｄ，９ｄに、結束部１１近傍の第一，第二ループ紐４，５をループ紐を通路８ｅ，９ｅに嵌め込み、主部材８ａ，９ａに嵌め込まれた第一，第二ループ紐４，５やストラップ本体７に合わせて、副部材８ｂ，９ｂを主部材８ａ，９ａに接着することで、結束部１１がカバー部材８，９に覆われる。結束部１１は、ストラップ本体通路８ｄ，９ｄ及びループ紐通路８ｅ，９ｅを通過することができないので、常にカバー部材８，９に覆われた状態となっている。
【００１６】
カバー部材９には、第二ループ５ａが係止可能なループ止め部１２が形成されている。図３に示すようにループ止め部１２の周囲には、ループ止め１２に第二ループ５ａを係止させるために、第二ループ紐５が通過可能な隙間１３が設けられている。このループ止め部１２には、引っ掛かり部１２ａが一体に形成されており、この引っ掛かり部１２ａ全体を第二ループ５ａの中に通すことで、ループ止め部１２に第二ループ５ａの先端５ｂが係止される。また、引っ掛かり部１２ａによって、ループ止め部１２と第二ループ５ａの先端５ｂとが係止した後に、第二ループ紐５が隙間１３から抜け落ちて係止が解除されないようになっている。また、撮影機器１５には、第一ループ紐４または第二ループ紐５が挿通可能な一対の貫通穴１７，１８が形成されている。                                      
【００１７】
ストラップ２を携帯機器１５に用いるときには、最初に、第一ループ紐４を貫通穴１７に挿通し、貫通穴１７を通過した第一ループ紐４の第一ループ４ａの中に、第二ループ紐５、ストラップ本体７、カバー部材９を挿通し、第一ループ４を介してストラップ本体７の一端を携帯機器１５に連結させ、次に、第二ループ紐５を貫通穴１８に挿通し, 貫通穴１８を通過した第二ループ紐５の第二ループ５ａの中に、引っ掛かり部１２ａ全体を通すと、ループ止め部１２に先端５ｂが係止し、第二ループ紐５を介してストラップ本体７の一端を携帯機器１５に連結する。
【００１８】
ストラップ２を用いた携帯機器１５を首から吊り下げて使用したときに、第二ループ紐５が隙間１３から抜けようとするのを引っ掛かり部１２ａが邪魔するため、第二ループ５ａの先端５ｂとループ止め部１２との係止は解除されず、携帯機器１５が落下することはない。また、ループ紐が係止するループ止め部をカバー部材に形成したことで、ストラップのコストを抑えることができる。
【００１９】
上記実施例では、カバー部材９に形成されたループ止め部１２の引っ掛かり部１２ａは、ストラップ本体通路９ｄ寄りに形成されていたが、ストラップに備えられたループ止め部は、ループ紐の先端が係止可能で、携帯機器を用いたストラップを首から吊り下げたりして使用しても、係止が解除されない形状であればよい。例えば, 図５に示すカバー部材１９に形成されたループ止め部２０のように、引っ掛かり部２０ａがループが通るループ紐通路（図示せず）寄りに形成されたものでもよい。
【００２０】
上記実施例では、ループ紐はストラップ本体と結束することでループ状を形成していたが、元からループを備えているリング状のループ紐を用いてもよい。また、上記実施例では、ストラップ本体の端部とループ紐とが結束し、その結束部を覆う部材カバーにループ紐のループが係止するループ止めを備えていたが、ストラップ本体の端部とループ紐とを連結する連結部にループ紐のループが係止可能なループ止めを形成していれば本発明を適用することができる。
【図面の簡単な説明】
【００２１】
【図１】本発明のストラップ及び本発明のストラップが取り付けられる撮影機器の外観図である。
【図２】ストラップ本体とループ紐との連結部を覆った状態のカバー部材の断面図である。
【図３】ループ止め部を形成したカバー部材の断面図である。
【図４】本発明のストラップとデジタルカメラの外観斜視図である。
【図５】カバー部材に形成されたループ止め部を示す外観斜視図である。
【図６】従来例のストラップとデジタルカメラの外観斜視図である。
【符号の説明】
【００２２】
２  ストラップ
４  第一ループ紐
５  第二ループ紐
４ａ  第一ループ
５ａ  第二ループ
５ｂ  先端
７  ストラップ本体
８，９  カバー部材
１２  ループ止め部
１２ａ  引っ掛かり部
１５  携帯機器
１７，１８  貫通穴
２５  ストラップ
３６  連結キャップ
【図１】
2005253767.tif 000003
【図２】
2005253767.tif 000004
【図３】
2005253767.tif 000005
【図４】
2005253767.tif 000006
【図５】
2005253767.tif 000007
【図６】
2005253767.tif 000008